(57)【要約】      （修正有）【課題】混信することなくリモートコントローラとカメラ本体とが正常に通信することができるカメラシステムを提供する。【解決手段】撮影光学系を透過した光束による像を撮像する撮像部１１と、情報を無線で送受信する第１通信部１３と、第１通信部により受信した情報から第１識別報を検出する第１検出部１５と、を有するカメラボディ１０と、カメラボディに着脱可能に設けられ、ユーザーが操作することによりカメラボディの遠隔操作が可能な操作部２４と、撮像部により撮像した画像を表示する表示部２３と、カメラボディに対して情報を無線で送受信する第２通信部２５と、第２通信部により受信した情報から第２識別情報を検出する第２検出部２７と、を有する操作装置２０と、第１検出部により第１識別情報が検出され且つ第２検出部により第２識別情報が検出された場合に、カメラボディと操作装置との通信を成立させる通信制御部１５、２７と、を有する。【選択図】図１
2012009912.tif 000002
【特許請求の範囲】
【請求項１】
撮影光学系を透過した光束による像を撮像する撮像部と、
情報を無線で送受信する第１通信部と、
前記第１通信部により受信した情報から第１識別情報を検出する第１検出部と、
を有するカメラボディと、
前記カメラボディに着脱可能に設けられ、
ユーザーが操作することにより前記カメラボディの遠隔操作が可能な操作部と、
前記撮像部により撮像した画像を表示する表示部と、
前記カメラボディに対して情報を無線で送受信する第２通信部と、
前記第２通信部により受信した情報から第２識別情報を検出する第２検出部と、
を有する操作装置と、
前記第１検出部により前記第１識別情報が検出され且つ前記第２検出部により前記第２識別情報が検出された場合に、前記カメラボディと前記操作装置との通信を成立させる通信制御部と、
を有することを特徴とするカメラシステム。
【請求項２】
請求項１に記載のカメラシステムにおいて、
前記第１識別情報は、特定の前記操作装置を識別するための固有情報であり、
前記第２識別情報は、特定の前記カメラボディを識別するための固有情報であることを特徴とするカメラシステム。
【請求項３】
請求項１又は２に記載のカメラシステムにおいて、
前記操作部は、前記第１通信部及び前記第２通信部を介して前記撮像部による撮像動作を稼動させることを特徴とするカメラシステム。
【発明の詳細な説明】
【技術分野】
【０００１】
本発明は、着脱可能なリモートコントローラを備えたカメラシステムに関するものである。
【背景技術】
【０００２】
従来、カメラ本体に着脱可能に設けられたリモートコントローラに、カメラ本体との通信を行う通信手段と、通信手段により受信した画像を表示する表示手段と、カメラ本体にシャッターレリーズ動作を行わせるレリーズ釦とを備えたカメラが知られている（例えば、特許文献１）。
【先行技術文献】
【特許文献】
【０００３】
【特許文献１】特開平１１−１７４５７６号公報
【発明の概要】
【発明が解決しようとする課題】
【０００４】
しかし、従来のカメラは、他の通信機器が発信する信号との混信により本来対応すべきリモートコントローラとカメラ本体とが正常に通信できないおそれがあった。
【０００５】
そこで本発明は、混信することなく対応すべきリモートコントローラとカメラ本体とが正常に通信することができるカメラシステムを提供することを目的とする。
【課題を解決するための手段】
【０００６】
請求項１の発明は、撮影光学系を透過した光束による像を撮像する撮像部（１１）と、情報を無線で送受信する第１通信部（１３）と、前記第１通信部により受信した情報から第１識別情報を検出する第１検出部（１５）と、を有するカメラボディ（１０）と、前記カメラボディに着脱可能に設けられ、ユーザーが操作することにより前記カメラボディの遠隔操作が可能な操作部（２４）と、前記撮像部により撮像した画像を表示する表示部（２３）と、前記カメラボディに対して情報を無線で送受信する第２通信部（２５）と、前記第２通信部により受信した情報から第２識別情報を検出する第２検出部（２７）と、を有する操作装置（２０）と、前記第１検出部により前記第１識別情報が検出され且つ前記第２検出部により前記第２識別情報が検出された場合に、前記カメラボディと前記操作装置との通信を成立させる通信制御部（１５、２７）と、を有することを特徴とするカメラシステムである。
【０００７】
請求項２の発明は、請求項１に記載のカメラシステムにおいて、前記第１識別情報は、特定の前記操作装置を識別するための固有情報であり、前記第２識別情報は、特定の前記カメラボディを識別するための固有情報であることを特徴とするカメラシステムである。
【０００８】
請求項３の発明は、請求項１又は２に記載のカメラシステムにおいて、前記操作部は、前記第１通信部及び前記第２通信部を介して前記撮像部による撮像動作を稼動させることを特徴とするカメラシステムである。
【０００９】
なお、本発明を分かり易く説明するために一実施形態を表す図面の符号に対応づけて説明したが、本発明はこれに限定されるものではなく、後述の実施形態の構成を適宜改良してもよく、また、実施形態に開示された構成の少なくとも一部を他の構成物に代替させても良い。
【図面の簡単な説明】
【００１０】
【図１】本発明の実施形態に係るカメラシステムの概略的な構成を示すブロック図であって、リモートコントローラがカメラボディに装着された状態を示す図である。
【図２】本発明の実施形態に係るカメラシステムの概略的な構成を示すブロック図であって、リモートコントローラがカメラボディから取り外された状態を示す図である。
【図３】本発明の実施形態に係るカメラボディの動作を示すフローチャートである。
【図４】本発明の実施形態に係るリモートコントローラの動作を示すフローチャートである。
【発明を実施するための形態】
【００１１】
図１は、本発明の実施形態に係るカメラシステムの概略的な構成を示すブロック図である。このカメラシステムは、カメラボディ１０と、カメラボディ１０に着脱可能に設けられたリモートコントローラ（以下、リモコンという）２０とから構成されている。
【００１２】
図１に示すように、カメラボディ１０にリモコン２０が装着された状態では、カメラボディ１０とリモコン２０とが電気接点群Ｅ１、Ｅ２により電気的に接続されている。そして、この電気接点群Ｅ１、Ｅ２を介してカメラボディ１０とリモコン２０とが通信可能となっており、後述の画像情報や識別情報等の情報の送受信が行われる。また、カメラボディ１０からリモコン２０への電源供給も電気接点群Ｅ１、Ｅ２を介して行われる。
【００１３】
カメラボディ１０は、撮影光学系Ｌと、撮影光学系Ｌを透過した光束による像を撮像する撮像部１１と、撮像部１１により撮像した画像の画像情報等を記憶するボディメモリ１２と、リモコン２０に対して情報を無線で送受信するボディ通信部１３と、カメラボディ１０に電源を供給するボディ電源１４と、カメラボディ１０を統括的に制御するボディＣＰＵ１５とを有している。ボディＣＰＵ１５には、撮像部１１、ボディメモリ１２、ボディ通信部１３、ボディ電源１４、電気接点群Ｅ１等が接続されている。
【００１４】
撮影光学系Ｌは、実際には複数のレンズにより構成されるが、図１では模式的に１枚のレンズを示してある。撮影光学系Ｌを透過した光束は撮像部１１に入射し、撮像部１１に設けられた後述の受光素子上に光学像を形成する。
【００１５】
撮像部１１は、複数の光電変換素子が二次元配列した受光素子と、この受光素子から出力される電気信号に基づいて画像を生成する画像生成部とを有している。撮像部１１の受光素子は、撮影光学系Ｌを透過した光束によって受光素子上に形成された光学像を光電変換し、電気信号を出力する。そして、撮像部１１の画像生成部は、受光素子から出力された電気信号に基づいて受光素子上に形成された光学像に対応する画像を生成する。
【００１６】
ボディメモリ１２は、ＥＥＰＲＯＭ等の不揮発メモリである。このボディメモリ１２には、撮像部１１により撮像した画像の画像情報や、カメラボディ１０の識別情報（以下、ボディＩＤという）や、リモコン２０の識別情報（以下、リモコンＩＤという）等が記憶されている。ここで、ボディＩＤは、特定のカメラボディ１０を識別するための固有情報であり、リモコンＩＤは、ボディＩＤで特定されるカメラボディ１０に対応する特定のリモコン２０を識別するための固有情報である。
【００１７】
なお、撮像部１１により撮像した画像の画像情報は、後述のリモコンメモリ２２にも記憶可能であり、画像情報の記憶先としてボディメモリ１２又はリモコンメモリ２２を予めユーザーが指定することができる。
【００１８】
ボディ通信部１３は、情報を無線送信するボディ送信部１３ａと、情報を無線受信するボディ受信部１３ｂとを有しており、リモコン２０がカメラボディ１０から取り外された状態において、ボディ送信部１３ａとボディ受信部１３ｂとによりリモコン２０に対して情報を無線で送受信する。
【００１９】
ボディ電源１４は、リモコン２０がカメラボディ１０から取り外された状態（図２参照）では、カメラボディ１０にのみ電源供給を行うが、リモコン２０がカメラボディ１０に装着された状態（図１参照）では、電気接点群Ｅ１、Ｅ２を介してリモコン２０に対しても電源供給を行う。
【００２０】
リモコン２０は、カメラボディ１０の動作モードを切り換えるモードスイッチ（以下、モードＳＷという）２１と、撮像部１１により撮像した画像の画像情報等を記憶するリモコンメモリ２２と、撮像部１１により撮像した画像を表示するモニタ２３と、撮像部１１の撮像動作を稼動するレリーズスイッチ（以下、レリーズＳＷという）２４と、カメラボディ１０に対して情報を無線で送受信するリモコン通信部２５と、リモコン２０に電源を供給するリモコン電源２６と、リモコン２０の動作を統括的に制御するリモコンＣＰＵ２７とを有している。リモコンＣＰＵ２７には、モードＳＷ２１、リモコンメモリ２２、モニタ２３、レリーズＳＷ２４、リモコン通信部２５、リモコン電源２６、電気接点群Ｅ２等が接続されている。
【００２１】
モードＳＷ２１は、ユーザーが操作できるようにリモコン２０に設けられている。モードＳＷ２１をユーザーが操作することで、カメラボディ１０の動作モードを撮影モードと再生モードとその他のモードとに切り換えることができる。撮影モードは、撮像部１１による撮像動作を稼動可能な動作モードであり、再生モードは、ボディメモリ１２又はリモコンメモリ２２に記憶された画像をモニタ２３に表示する動作モードである。
【００２２】
リモコンメモリ２２は、ＥＥＰＲＯＭ等の不揮発メモリである。このリモコンメモリ２２には、カメラボディ１０の撮像部１１により撮像した画像の画像情報や、リモコンＩＤ、ボディＩＤ等が記憶されている。
【００２３】
モニタ２３は、ＬＣＤ（Liquid Crystal Display）等の表示装置である。モニタ２３には、カメラボディ１０の動作モードが撮影モードに切り換えられた状態において、撮像部１１により画素数を落として連続して撮像した画像（以下、スルー画像という）が逐次表示される。また、モニタ２３には、カメラボディ１０の動作モードが再生モードに設定された状態において、ボディメモリ１２又はリモコンメモリ２２に記憶された画像が表示される。
【００２４】
なお、再生モード時において、画像を読み出す対象のメモリ（ボディメモリ１２又はリモコンメモリ２２）は、リモコン２０に設けられた不図示の操作部材をユーザーが操作することにより予め設定することが可能である。
【００２５】
レリーズＳＷ２４は、ユーザーが操作できるようにリモコン２０に設けられている。このレリーズＳＷ２４は、第１ストローク（半押し）の操作によりオンになる第１スイッチと、第１ストロークよりも長い第２ストローク（全押し）の操作によりオンになる第２スイッチとを有している。第１スイッチがオンになると、リモコン２０からカメラボディ１０に第１レリーズ信号が送信され、カメラボディ１０による自動焦点調節動作（ＡＦ）や自動露出調節動作（ＡＥ）等の撮影準備動作が起動される。また、第２スイッチがオンになると、リモコン２０からカメラボディ１０に第２レリーズ信号が送信され、カメラボディ１０の撮像部１１による撮像動作が稼動される。なお、以下の説明において、第２スイッチにより稼動された撮像動作により撮像した画像を本画像と称し、撮影モード時にモニタ２３に逐次表示されるスルー画像と区別する。
【００２６】
リモコン通信部２５は、情報を無線送信するリモコン送信部２５ａと、情報を無線受信するリモコン受信部２５ｂとを有しており、リモコン２０がカメラボディ１０から取り外された状態において、リモコン送信部２５ａとリモコン受信部２５ｂとにより情報を無線で送受信する。
【００２７】
リモコン電源２６は、二次電池であり、リモコン２０がカメラボディ１０に装着された状態（図１参照）において、電気接点群Ｅ１、Ｅ２を介してボディ電源１４により充電される。また、リモコン電源２６は、リモコン２０がカメラボディ１０から取り外された状態（図２参照）において、リモコン２０に電源を供給する。
【００２８】
図２は、カメラボディ１０からリモコン２０が取り外された状態を示す図である。
【００２９】
カメラボディ１０からリモコン２０が取り外されると、カメラボディ１０とリモコン２０との通信は、ボディ通信部１３及びリモコン通信部２５を介して行われる。具体的には、カメラボディ１０のボディ送信部１３ａからリモコン受信部２５ｂへ撮像部１１により撮像した画像の画像情報やボディメモリ１２に記憶したボディＩＤ等が無線送信される。また、リモコン２０のリモコン送信部２５ａからボディ受信部１３ｂへリモコンメモリ２２に記憶したリモコンＩＤやレリーズＳＷ２４による信号等が無線送信される。
【００３０】
次に、本実施形態に係るカメラボディ１０の動作について図３を参照して説明する。この動作は、カメラボディ１０の電源がオンにされるとスタートする。
【００３１】
ステップＳ１０１において、カメラボディ１０のボディＣＰＵ１５は、電気接点群Ｅ１の通電状態によりリモコン２０がカメラボディ１０から取り外されているか否かを判定する。電気接点群Ｅ１が通電している場合には、リモコン２０がカメラボディ１０から取り外されていないと判定し、ステップＳ１０４に進む。一方、電気接点群Ｅ１が通電していない場合には、リモコン２０がカメラボディ１０から取り外されていると判定し、ステップＳ１０２に進む。
【００３２】
ステップＳ１０２において、ボディＣＰＵ１５は、ボディメモリ１２に記憶したボディＩＤをボディ送信部１３ａによりリモコン２０に送信する。このボディＩＤがリモコン２０により受信されると、リモコン２０からリモコンＩＤが返信される。
【００３３】
ステップＳ１０３において、ボディＣＰＵ１５は、ボディ受信部１３ｂにより受信した情報から、ボディメモリ１２に記憶したものと同じリモコンＩＤを検出したか否かを判定する。この判定が否定された場合には、ステップＳ１０２に戻り、再度ボディＩＤを送信する。一方、この判定が肯定された場合には、ステップＳ１０４に進む。
【００３４】
なお、ステップＳ１０４以降において、カメラボディ１０とリモコン２０との通信は、カメラボディ１０にリモコン２０が装着されている場合には電気接点群Ｅ１、Ｅ２を介して行い、カメラボディ１０からリモコン２０が取り外されている場合にはボディ通信部１３及びリモコン通信部２５を介して行う。
【００３５】
ステップＳ１０４において、ボディＣＰＵ１５は、動作モードが撮影モードか否かを判定する。撮影モードでないと判定した場合、すなわち、動作モードが再生モードの場合には、ステップＳ１１３に進む。一方、動作モードが撮影モードであると判定した場合には、ステップＳ１０５に進む。
（動作モードが撮影モードの場合）
ステップＳ１０５において、ボディＣＰＵ１５は、カメラボディ１０からリモコン２０へスルー画像の画像情報を送信する。
【００３６】
ステップＳ１０６において、ボディＣＰＵ１５は、リモコン２０から第１レリーズ信号を受信したか否かを判定する。この判定が否定された場合には、ステップＳ１０８に進む。一方、この判定が肯定された場合には、ステップＳ１０７に進む。
【００３７】
ステップＳ１０７において、ボディＣＰＵ１５は、ＡＦやＡＥ等の撮影準備動作を行う。
【００３８】
ステップＳ１０８において、ボディＣＰＵ１５は、リモコン２０から第２レリーズ信号を受信したか否かを判定する。この判定が否定された場合には、ステップＳ１０６に戻る。一方、この判定が肯定された場合には、ステップＳ１０９に進む。
【００３９】
ステップＳ１０９において、ボディＣＰＵ１５は、撮像部１１により本画像を撮像する。
【００４０】
ステップＳ１１０において、ボディＣＰＵ１５は、予めユーザーにより設定された本画像の記憶先がボディメモリ１２であるか否かを判定する。本画像の記憶先がリモコンメモリ２２の場合には、ステップＳ１１２に進む。一方、本画像の記憶先がボディメモリ１２の場合には、ステップＳ１１１に進む。
【００４１】
ステップＳ１１１において、ボディＣＰＵ１５は、撮像部１１により撮像した本画像をボディメモリ１２に記憶する。
【００４２】
一方、ステップＳ１１２において、ボディＣＰＵ１５は、撮像部１１により撮像した本画像の画像情報をカメラボディ１０からリモコン２０に送信し、ステップＳ１１６に進む。
（動作モードが再生モードの場合）
ステップＳ１１３において、ボディＣＰＵ１５は、ボディメモリ１２の読み出し指示があるか否かを判定する。この判定が否定された場合は、ステップＳ１１６に進む。一方、この判定が肯定された場合には、ステップＳ１１４に進む。
【００４３】
ステップＳ１１４において、ボディＣＰＵ１５は、ボディメモリ１２に記憶した画像の解像度を低くした所謂サムネイル画像の画像情報をカメラボディ１０からリモコン２０に送信する。このサムネイル画像は、リモコン２０のモニタ２３に一覧表示され、ユーザーにより選択可能な状態となる。ユーザーは、リモコン２０に設けられた不図示の操作部材によりサムネイル画像の一覧から再生したい画像を選択する。
【００４４】
ステップＳ１１５において、ボディＣＰＵ１５は、ユーザーにより選択されたサムネイル画像に対応する画像（以下、再生画像という）の画像情報をボディメモリ１２から読み出し、リモコン２０に送信する。この画像情報がリモコン２０により受信されると、再生画像がリモコン２０のモニタ２３に表示される。
【００４５】
ステップＳ１１６において、ボディＣＰＵ１５は、電源オフの指示があるか否かを判定する。電源オフの指示が無いと判定した場合には、ステップＳ１０１に戻る。一方、電源オフの指示があると判定した場合には、動作を終了する。
【００４６】
次に、本実施形態に係るリモコン２０の動作について図４を参照して説明する。
【００４７】
ステップＳ２０１において、リモコンＣＰＵ２７は、電気接点群Ｅ２の通電状態によりリモコン２０がカメラボディ１０から取り外されているか否かを判定する。電気接点群Ｅ２が通電している場合には、リモコン２０がカメラボディ１０から取り外されていないと判定し、ステップＳ２０４に進む。一方、電気接点群Ｅ２が通電していない場合には、リモコン２０がカメラボディ１０から取り外されていると判定し、ステップＳ２０２に進む。
【００４８】
ステップＳ２０２において、リモコンＣＰＵ２７は、ボディＩＤを検出するまで待機し、ボディＩＤを受信するとステップＳ２０３に進む。
【００４９】
ステップＳ２０３において、リモコンＣＰＵ２７は、リモコンメモリ２２に記憶したリモコンＩＤをリモコン送信部２５ａによりカメラボディ１０に送信し、ステップＳ２０４に進む。
【００５０】
なお、ステップＳ２０４以降において、カメラボディ１０とリモコン２０との通信は、カメラボディ１０にリモコン２０が装着されている場合には電気接点群Ｅ１、Ｅ２を介して行い、カメラボディ１０にリモコン２０が装着されていない場合にはボディ通信部１３及びリモコン通信部２５を介して行う。
【００５１】
ステップＳ２０４において、リモコンＣＰＵ２７は、動作モードが撮影モードであるか否かを判定する。この判定が否定された場合、すなわち、動作モードが再生モードの場合には、ステップＳ２１３に進む。一方、この判定が肯定された場合には、ステップＳ２０５に進む。
（動作モードが撮影モードの場合）
ステップＳ２０５において、リモコンＣＰＵ２７は、カメラボディ１０から送信されたスルー画像を逐次受信する。
【００５２】
ステップＳ２０６において、リモコンＣＰＵ２７は、受信したスルー画像をモニタ２３に表示する。これにより、ユーザーは、モニタ２３に表示されたスルー画像を見ながら撮影構図を決めることができる。
【００５３】
ステップＳ２０７において、リモコンＣＰＵ２７は、レリーズＳＷ２４の第２スイッチがオンであるか否かを判定する。この判定が否定された場合には、ステップＳ２０８に進む。一方、この判定が肯定された場合には、ステップＳ２１０に進む。
【００５４】
ステップＳ２０８において、リモコンＣＰＵ２７は、レリーズＳＷ２４の第１スイッチがオンであるか否かを判定する。この判定が否定された場合には、ステップＳ２０７に戻る。一方、この判定が肯定された場合には、ステップＳ２０９に進む。
【００５５】
ステップＳ２０９において、リモコンＣＰＵ２７は、第１レリーズ信号をカメラボディ１０に送信する。この第1レリーズ信号をカメラボディ１０が受信すると、カメラボディ１０によるＡＦやＡＥ等の撮影準備動作が起動される。
【００５６】
ステップＳ２１０において、リモコンＣＰＵ２７は、第２レリーズ信号をカメラボディ１０に送信する。この第２レリーズ信号をカメラボディ１０が受信すると、カメラボディ１０による撮像動作が稼動される。
【００５７】
ステップＳ２１１において、リモコンＣＰＵ２７は、カメラボディ１０の撮像部１１により撮像した本画像の画像情報を受信したか否かを判定する。この判定が否定された場合には、ステップＳ２２０に進む。一方、この判定が肯定された場合には、ステップＳ２１２に進む。
【００５８】
ステップＳ２１２において、リモコンＣＰＵ２７は、カメラボディ１０から受信した本画像の画像情報をリモコンメモリ２２に記憶し、ステップＳ２２０に進む。
（動作モードが再生モードの場合）
また、ステップＳ２１３において、リモコンＣＰＵ２７は、リモコンメモリの読み出し指示があるか否かを判定する。この判定が否定された場合には、ステップＳ２１５に進む。一方、この判定が肯定された場合には、ステップＳ２１４に進む。
【００５９】
ステップＳ２１４において、リモコンＣＰＵ２７は、リモコンメモリ２２に記憶された画像情報を読み出し、その画像情報に対応するサムネイル画像をモニタ２３に一覧表示する。このサムネイル画像は、前述したように、リモコン２０に設けられた不図示の操作部材をユーザーが操作することにより任意に選択可能であり、ユーザーにより選択されたサムネイル画像に対応する画像が再生対象となる。
【００６０】
一方、ステップＳ２１５において、リモコンＣＰＵ２７は、ボディＣＰＵ１５に対して信号を送信し、ボディメモリ１２に記憶した画像情報の読み出し指示を行う。
【００６１】
ステップＳ２１６において、リモコンＣＰＵ２７は、ボディメモリ１２から読み出された画像情報に対応するサムネイル画像をカメラボディ１０から受信する。
【００６２】
ステップＳ２１７において、リモコンＣＰＵ２７は、カメラボディ１０から受信したサムネイル画像をモニタ２３に一覧表示する。
【００６３】
ステップＳ２１８において、リモコンＣＰＵ２７は、ユーザーにより選択されたサムネイル画像に対応する画像（再生画像）の画像情報をカメラボディ１０から受信する。
【００６４】
ステップＳ２１９において、リモコンＣＰＵ２７は、再生画像をモニタ２３に表示し、ステップＳ２２０に進む。
【００６５】
ステップＳ２２０において、リモコンＣＰＵ２７は、電源オフの指示があるか否かを判定する。電源オフの指示が無いと判定した場合には、ステップＳ２０１に戻る。一方、電源オフの指示があると判定した場合には、動作を終了する。
【００６６】
以上説明したように、本実施形態によれば、カメラボディ１０によりリモコンＩＤが検出され且つリモコン２０によりボディＩＤが検出された場合に、カメラボディ１０とリモコン２０との通信が成立するようにしたので、他の通信機器による混信を防止することができる。
【００６７】
本発明は、以上説明した実施形態に限定されることなく種々の変形や変更が可能である。以下、例を示す。
【００６８】
（１）本実施形態において、撮影光学系Ｌがカメラボディ１０に設けられたレンズ一体型カメラの例を説明したが、レンズ交換式のカメラであってもよい。
【００６９】
（２）本実施形態において、同一のメモリ内に画像情報と識別情報（ボディＩＤ及びリモコンＩＤ）とを記憶する例を説明したが、画像情報を記憶するメモリとは別に識別情報を記憶するメモリを設けてもよい。例えば、リモコンＩＤを記憶したＲＦ(Radio Frequency)タグをリモコン２０に設け、ＲＦタグから発信される信号の読取装置をカメラボディ１０に設けるようにしてもよい。
【００７０】
（３）本実施形態において、カメラボディ１０の撮像動作を稼動するレリーズスイッチをリモコン２０にのみ設けた例を説明したが、カメラボディ１０にもレリーズスイッチを設けるようにしてもよい。
【００７１】
（４）本実施形態において、ボディＩＤ等の識別情報をカメラボディ１０に設けたボディメモリ１２に記憶した例を説明したが、識別情報をカメラボディ１０に着脱可能なメモリに記憶するようにしてもよい。同様に、本実施形態において、リモコンＩＤ等の識別情報をリモコン２０に設けたリモコンメモリ２２に記憶する例を説明したが、識別情報をリモコン２０に着脱可能なメモリに記憶するようにしてもよい。
【符号の説明】
【００７２】
Ｌ…撮影光学系、１０…カメラボディ、１１…撮像部、１２…ボディメモリ、１３…ボディ通信部、１３ａ…ボディ送信部、１３ｂ…ボディ受信部、１４…ボディ電源、１５…ボディＣＰＵ、２０…リモコン、２１…モードＳＷ、２２…リモコンメモリ、２３…モニタ、２４…レリーズＳＷ、２５…リモコン通信部、２５ａ…リモコン送信部、２５ｂ…リモコン受信部、２６…リモコン電源、２７…リモコンＣＰＵ
【図１】
2012009912.tif 000003
【図２】
2012009912.tif 000004
【図３】
2012009912.tif 000005
【図４】
2012009912.tif 000006